(57)【要約】【課題】車載用電子機器本体に、他の機能を有する車載用電子機器を装着するための空きスペースがある場合は、内部の目隠しができ、また、他の機能を有する車載用電子機器を装着する時は、目隠し部分を容易に取り除くことができるようにする。また、メインパネルに設けた表示部を大きく構成できるようにする。【解決手段】自動車のインスツルメント・コンソール等に設けられた規格化された寸法の２倍の高さを有する取り付け穴へ装着する車載用電子機器において、規格化された寸法に構成した車載用電気機器本体１７の前面の寸法より大きく形成した可動式メインパネル１８と、車載用電子機器本体１７の前面に設けた割り取り可能なサブパネル２０とを備える。【選択図】　　　　図１
2004017813.tif 000002
【特許請求の範囲】
【請求項１】
自動車のインスツルメント・コンソール又はインスツルメント・パネルに設けられた規格化された寸法の２倍の高さを有する取り付け穴へ装着する車載用電子機器において、
規格化された寸法に構成した車載用電子機器本体の前面の寸法より大きく形成した可動式メインパネルと、
車載用電子機器本体の前面に設けた割り取り可能なサブパネルと、
を備えたことを特徴とする車載用電子機器。
【請求項２】
自動車のインスツルメント・コンソール又はインスツルメント・パネルに設けられた規格化された寸法の２倍の高さを有する取り付け穴へ装着する車載用電子機器において、
規格化された寸法に構成した車載用電子機器本体の前面の寸法より大きく形成した可動式メインパネルと、
規格化された寸法又は規格化された寸法の１／２の高さに構成され、かつ車載用電子機器本体へ入れ替え可能に載置するように構成した他の機能を有する車載用電子機器と、
を備えたことを特徴とする車載用電子機器。
【請求項３】
自動車のインスツルメント・コンソール又はインスツルメント・パネルに設けられた規格化された寸法の２倍の高さを有する取り付け穴へ装着する車載用電子機器において、
規格化された寸法に構成した車載用電子機器本体の前面の寸法より大きく形成した可動式メインパネルと、
規格化された寸法に構成され、かつ車載用電子機器本体へ取り外し可能に載置する収納ボックスと、
を備えたことを特徴とする車載用電子機器。
【請求項４】
請求項１記載の割り取り可能なサブパネルは、可動式メインパネルを起立させた時に、その可動式パネルによって覆い隠される大きさに形成したことを特徴とする車載用電子機器。
【請求項５】
請求項２記載の他の機能を有する車載用電子機器は、車載用電子機器本体と切り替えスイッチ手段を介して電気的に接続したことを特徴とする車載用電子機器。
【発明の詳細な説明】
【０００１】
【発明の属する技術分野】
本発明は、各種の車載用電子機器を組み合わせて使用する構造を備えた車載用電子機器に関するものである。
【０００２】
【従来の技術】
自動車のインスツルメント・コンソール又はインスツルメント・パネルには、ラジオ、カセットテープ・デッキなどの各種車載用電子機器が装着されていた。
【０００３】
自動車のインスツルメント・コンソール又はインスツルメント・パネルには、ＤＩＮ規格（高さ５０ｍｍ×幅１８０ｍｍ）と呼ばれる規格化された寸法の車載用電子機器の取り付け穴が設けられていた。この規格化された寸法の取り付け穴へ各種車載用電子機器を嵌め込む都合上、各種車載用電子機器の寸法も、ＤＩＮ規格に合致した寸法で製作されている。
【０００４】
このＤＩＮ規格は、規格化された当時に存在した各種車載用電子機器の寸法に基づいて定められたものであり、その後の技術の進歩により、各種の車載用電子機器は、さらに小型化や多機能化が可能となり、現状には合わなくなってきている。
【０００５】
また、車載用電子機器も、ラジオ、カセットテープ・デッキの他に、ＣＤプレーヤ、ＭＤプレーヤ、ＤＶＤプレーヤ、モニタ・テレビ、テレビチューナ、カーナビゲーション・ユニット、ＤＳＰイコライザ、電話ユニットなど多様化され、ユーザーの趣向も多様化している。
【０００６】
また、上述したインスツルメント・コンソール又はインスツルメント・パネルに設けられた取り付け穴は、自動車の車種によって相違しており、ＤＩＮ規格どおりの取り付け穴が設けられている場合の他に、例えば、高さ１００ｍｍ×幅１８０ｍｍで、ＤＩＮ規格の２倍の高さを有する取り付け穴、あるいは、高さ７５ｍｍ×１８０ｍｍで、ＤＩＮ規格の１．５倍の取り付け穴などが存在する。そして、車載用電子機器を装着しない空間が存在する場合は、その空きスペースに、例えば、小物入れとなる収納ボックスが嵌め込まれている。
【０００７】
また、図６の従来の車載用電子機器１のように、ＤＩＮ規格の寸法で構成された車載用電子機器本体２の前面に、ＤＩＮ規格の２倍の高さに形成した固定式のメインパネル３を設けたものがある。この図６の従来の車載用電子機器１は、車載用電子機器本体２の上面４へ、この機種専用に用意された他の機能を有するオプション電子機器の１つ、例えば、ＣＤプレーヤ５を載置して取り付け、車載用電子機器本体２と組み合わせて使用できるように構成していた。この専用ＣＤプレーヤ５は、単独では再生動作できず、車載用電子機器本体２とＣＤプレーヤ５にそれぞれ設けたコネクタ６および７を介して電気的に接続することにより、再生動作できるように構成されていた。
【０００８】
さらに、図７に示す従来の車載用電子機器１１は、車載用電子機器本体１２をＤＩＮ規格の寸法に対し、２倍の高さの寸法に構成している。この車載用電子機器本体１２のメインパネル１３の上部には、開口部を有する空きスペース１４を設けている。この空きスペース１４には、この機種専用に用意されたオプション電子機器の１つ、例えば、ＭＤプレーヤ１５を装着し、車載用電子機器本体１２と組み合わせて使用できるように構成している。
【０００９】
【発明が解決しようとする課題】
図６に示す従来の車載用電子機器１にあっては、車載用電子機器本体２に設けたメインパネル３は、固定式であるため、装着したオプション電子機器の例えば、ＣＤプレーヤ５へＣＤを挿入するための挿入口８および９の位置合わせを正確に行う必要があった。また、メインパネル３は、高さがＤＩＮ規格の２倍と大きいが、ＣＤ等の挿入口８を予め設けておく必要があるため、表示部１０の大きさは、限られたサイズで構成せざるを得ないという問題点があった。
【００１０】
さらに、別のオプション電子機器に入れ替える時には、車載用電子機器本体２をインスツルメント・コンソール又はインスツルメント・パネルから一旦取り外した後、希望するオプション電子機器に付け替える作業が必要であり、手間がかかるという問題点があった。また、車載用電子機器本体２と他の機能を有する車載用電子機器との組み合わせた使用は、予め用意されているこの機種専用のオプション電子機器の範囲でしか行うことができないという問題点があった。また、同時に、複数台を接続して使用することができないため、その都度、付け替える必要があり、手間がかかるという問題点があった。さらに、オプション電子機器のみでは単独動作できないため、車載用電子機器本体２と組み合わせて使用していない場合の有効活用ができないという問題点があった。
【００１１】
また、図７に示す従来の車載用電子機器１１にあっては、車載用電子機器本体１２のメインパネル１３に、オプション電子機器の例えば、ＭＤプレーヤ１５を嵌め込む開口部を形成する必要があるため、表示部１６の大きさは、限られたサイズで構成せざるを得ないという問題点があった。
【００１２】
また、車載用電子機器本体１２との組み合わせ使用は、空きスペース１４の寸法や電気的接続方法等に制約があり、予め用意されているこの機種専用のオプション電子機器の範囲でしか行うことができないという問題点があった。また、同時に、複数台を接続して使用することができないため、その都度、付け替える必要があった。また、オプション電子機器のみで単独動作できないため、車載用電子機器本体１２と組み合わせて使用しない場合の有効活用ができないという問題点があった。さらに、オプション電子機器を装着しない時は、空きスペース１４を別途用意した目隠し板で覆い隠す必要があった。
【００１３】
本発明は、従来の技術の有するこのような問題点に鑑みてなされたものであり、その目的とするところは、メインパネルの表示部を大きく構成することができ操作性および外観的に優れた構成とする。また、オプション電子機器等を装着しない時は、割り取り可能なサブパネルによって目隠しができるようにする。さらに、オプション電子機器以外の通常使用されている車載用電子機器の使用を可能とする。また、使用を希望する複数台の車載用電子機器を電気的に接続することができ、組み合わせ使用の入れ替えを容易に行うことができる車載用電子機器を提供しようとするものである。
【００１４】
【課題を解決するための手段】
上記の目的を達成するために、本発明の車載用電子機器においては、自動車のインスツルメント・コンソール又はインスツルメント・パネルに設けられた規格化された寸法の２倍の高さを有する取り付け穴へ装着する車載用電子機器において、規格化された寸法に構成した車載用電子機器本体の前面の寸法より大きく形成した可動式メインパネルと、車載用電子機器本体の前面に設けた割り取り可能に構成したサブパネルとを備えたものである。
【００１５】
また、自動車のインスツルメント・コンソール又はインスツルメント・パネルに設けられた規格化された寸法の２倍の高さを有する取り付け穴へ装着する車載用電子機器において、規格化された寸法に構成した車載用電子機器本体の前面の寸法より大きく形成した可動式メインパネルと、規格化された寸法又は規格化された寸法の１／２の高さに構成され、かつ車載用電子機器本体へ入れ替え可能に載置するように構成した他の機能を有する車載用電子機器とを備えたものである。
【００１６】
また、自動車のインスツルメント・コンソール又はインスツルメント・パネルに設けられた規格化された寸法の２倍の高さを有する取り付け穴へ装着する車載用電子機器において、規格化された寸法に構成した車載用電子機器本体の前面の寸法より大きく形成した可動式メインパネルと、規格化された寸法に構成され、かつ車載用電子機器本体へ取り外し可能に載置する収納ボックスとを備えたものである。
【００１７】
さらに、上記の割り取り可能なサブパネルは、可動式メインパネルを起立させた時に、その可動式パネルによって覆い隠される大きさに形成することが好ましい。
【００１８】
また、上記の他の機能を有する車載用電子機器は、車載用電子機器本体と切り替えスイッチ手段を介して電気的に接続することが効果的である。
【００１９】
【発明の実施の形態】
本発明の実施の形態を実施例にもとづき図面を参照して説明する。
図１は、本発明に係わる車載用電子機器の第１の実施例を示す斜視図である。図１において、１７は車載用電子機器本体で、ＤＩＮ規格の寸法で構成されている。この車載用電子機器本体１７は、自動車のインスツルメント・コンソール又はインスツルメント・パネルの設けられた取り付け穴（図示しない）に嵌め込まれるように構成されている。この取り付け穴は、ＤＩＮ規格の寸法に対し、高さが２倍（１００ｍｍ）に形成されている。
【００２０】
１８は可動式メインパネルで、車載用電子機器１７の前面において、矢印Ａで示すように、スライド移動するように構成されている。この可動式メインパネル１８は、ＤＩＮ規格の寸法に対し、高さが２倍の大きさに形成している。１９は可動式メインパネル１８に設けた表示部である。このように、メインパネル１８を可動式とすることによって、ＣＤ等の挿入口は、サブパネル２０側へ設けるだけで済み、メインパネル１８自体に設ける必要がないので、表示部１９のスペースを大きく取ることができる。
【００２１】
サブパネル２０は、車載用電子機器本体１７の前面に設けるとともに、ＤＩＮ規格の寸法に対する高さの寸法を２倍に形成している。また、このサブパネル２０には、割り取り可能に構成した割り取り線２１が設けられている。この割り取り線２１が設けられた位置は、ＤＩＮ規格の高さ（５０ｍｍ）に一致させて、水平方向に設けられている。この、サブパネル２０の割り取り線２１より上部は、内部の目隠しとしての働きをしている。また、必要に応じて、サブパネル２０の割り取り線２１から上部を割り取ることによって、車載用電子機器本体１７の上面２２へＤＩＮ規格の寸法で構成された他の機能を有する車載用電子機器を載置して取り付けるように構成している。
【００２２】
この車載用電子機器本体１７の上面２２へ他の機能を有する車載用電子機器、例えば、ＣＤプレーや２３の取り付けを行うには、少なくとも、次の２通りの取り付け方法が可能である。まず、図２に示す実施例の場合は、車載用電子機器本体１７の割り残った部分のサブパネル２０と、ＣＤプレーヤ２３のフロントパネル２４との２つの面が一致するように載置位置を調整して取り付け、配線ケーブル２５を用いて電気的接続を行う。
【００２３】
なお、この時、ＣＤプレーヤ２３が着脱式フロントパネルを備えている場合には、その着脱式フロントパネルを保持するための保持レバーが通常、前方に突出して設けられている。したがって、着脱式フロントパネルを取り外しただけでは、図２に示すように、可動式メインパネル１８を起立させた時に、その背面に保持レバーが当るため、サブパネル２０およびフロントパネル２４の２つの面を一致させることができなくなる。そこで、サブパネル２０とフロントパネル２４の２つの面を一致させることができるように、保持レバーも取り外し、保持レバーなしの専用サブパネルを別途用意して、ＣＤプレーヤ２３の前面へ装着する必要が有る。
【００２４】
また上記以外の取り付け方法としては、図３に示す実施例のように、着脱式フロントパネル２６を取り外さず、そのままの状態で、車載用電子機器本体１７の上面２２へ載置する。この時、ＣＤプレーヤ２３は、後方へ少しずらし、段差をつけた状態で、取り付け金具２７等を用いて、車載用電子機器本体１７へ取り付ける。
【００２５】
なお、図２および図３の車載用電子機器本体１７の上面２２へ取り付けるＣＤプレーヤ２３等の他の機能を有する電子機器は、予めこの機種専用に用意されたオプション電子機器であってもよいし、また、ＤＩＮ規格の寸法で構成された通常の車載用電子機器であってもよい。また、この他の機能を有する車載用電子機器は、ＤＩＮ規格の寸法の１／２（ハーフハイト）仕様の車載用電子機器を用いて、例えば、２台を積み重ねて車載用電子機器本体１７へ装着することも可能である。
【００２６】
図４は、本発明に係わる車載用電子機器の第２の実施例示す斜視図である。
この図４に示す第２の実施例は、切り替えスイッチ２９を介して車載用電子機器本体１７と、２台の他の機能を有する車載用電子機器２３および２８とを電気的に接続したものである。したがって、切り替えスイッチ２９を切り替え操作することによって、２台の他の機能を有する車載用電子機器２３又は２８の使用頻度の高いものを容易に入れ替えて使用することができる。また、車載用電子機器本体１７に取り付けていないもう一方の車載用電子機器２８を手元に置くことができ、利用し易くなる。
【００２７】
図５は、本発明に係わる車載用電子機器の第３の実施例を示す斜視図である。図４に示す第３の実施例は、ＤＩＮ規格の寸法で構成した車載用電子機器本体１７の上面２２へＤＩＮ規格の寸法で構成した着脱自在の収納ボックス３０を設けたものである。この収納ボックス３０を設けることによって、他の機能を有する車載用電子機器を車載用電子機器本体１７へ装着するまでの空きスペースを埋めて、例えば、小物入れ等として利用することができる。また、可動式メインパネル１８を矢印Ａ方向にスライドした場合においても、美観的にも好ましい状態となる。
【００２８】
【発明の効果】
本発明は、以上説明したように構成されているので、メインパネルの表示部を大きく構成することができる。また、オプション電子機器等を車載用電子機器本体へ装着しない時は、空きスペースを割り取り可能なサブパネルによって目隠しすることができる。さらに、サブパネルの上部を割り取ることによって、オプション電子機器はもとより、通常使用されている車載用電子機器も車載用電子機器本体へ装着し使用することができる。また、使用を希望する複数台の種々の機能を有する車載用電子機器を車載用電子機器本体と電気的に接続して使用することができ、必要に応じて、組み合わせを入れ替えて使用することができる。
【図面の簡単な説明】
【図１】本発明に係わる車載用電子機器の第１の実施例を示す斜視図である。
【図２】図１の実施例における使用状態の一例を示す側面図である。
【図３】図１の実施例における使用状態の一例を示す側面図である。
【図４】本発明に係わる車載用電子機器の第２の実施例を示す斜視図である。
【図５】本発明に係わる車載用電子機器の第３の実施例を示す斜視図である。
【図６】従来の車載用電子機器を示す斜視図である。
【図７】従来の車載用電子機器を示す斜視図である。
【符号の説明】
１７　　車載用電子機器本体
１８　　可動式メインパネル
１９　　表示部
２０　　サブパネル
２１　　割り取り線
２２　　上面
２３　　ＣＤプレーヤ
２４　　フロントパネル
２５　　配線ケーブル
２６　　着脱式フロントパネル
２７　　取り付け金具
２８　　車載用電子機器
２９　　切り替えスイッチ
３０　　収納ボックス
【図１】
2004017813.tif 000003
【図２】
2004017813.tif 000004
【図３】
2004017813.tif 000005
【図４】
2004017813.tif 000006
【図５】
2004017813.tif 000007
【図６】
2004017813.tif 000008
【図７】
2004017813.tif 000009